(57)【要約】【課題】棚網を背面側から取り出せると共に棚網の設置高さや設置角度を調節できる温蔵ショーケースを提供する。【解決手段】筺形で、正面部１２と両方の側面部１３とに透明なガラス板が配設され、背面部１４に透明でスライド自在な２枚のガラス板からなるスライド扉を備え、両方の側面部の内側に沿ってそれぞれ柱体２１が立設し、柱体に複数の棚網２２が係止する温蔵ショーケース１１である。柱体は、上部２１ａ側が背面部側に傾斜して立設すると共に、後部側に所定の間隔を開けて複数の孔部２３が形成される。棚網は、両方の端部に柱体に当接する柱受け部２５が形成され、柱受け部の上端は上段の孔部に係止する係止片が形成され、柱受け部の下端は、下段の孔部に係止して棚網の設置角度を調節するための水平用係止片と傾斜用係止片とが形成される。【選択図】図３
0003204326.tif 000002
【実用新案登録請求の範囲】
【請求項１】
筺形で、正面部と両方の側面部とに透明なガラス板が配設され、背面部に透明でスライド自在な２枚のガラス板からなるスライド扉を備え、前記両方の側面部の内側に沿ってそれぞれ柱体が立設し、該柱体に複数の棚網が係止する温蔵ショーケースであって、
前記柱体は、上部側が前記背面部側に傾斜して立設すると共に、後部側に所定の間隔を開けて複数の孔部が形成され、
前記棚網は、両方の端部に前記柱体に当接する柱受け部が形成され、
該柱受け部の上端は、上段の前記孔部に係止する係止片が形成され、
当該柱受け部の下端は、下段の前記孔部に係止して前記棚網の設置角度を調節するための水平用係止片と傾斜用係止片とが形成されること
を特徴とする温蔵ショーケース。
【請求項２】
前記棚網は、前記係止片が係止する孔部が下方側に下がるに連れて正面側にいっそう突出する構成であること
を特徴とする請求項１に記載の温蔵ショーケース。
【請求項３】
前記孔部は、角孔形に形成されること
を特徴とする請求項１に記載の温蔵ショーケース。
【請求項４】
前記傾斜用係止片は、複数片が形成されること
を特徴とする請求項１に記載の温蔵ショーケース。
【考案の詳細な説明】
【技術分野】
【０００１】
本考案は、温蔵ショーケースに関するものである。
【背景技術】
【０００２】
従来の温蔵ショーケースとしては、例えば次のような構成のものが知られている。この温蔵ショーケースは、前面側が開口する商品陳列用の陳列室と、陳列室内に設けられる複数段の陳列棚と、陳列棚の前端と陳列室の天井面とに設けられる蛍光灯等からなる照明装置と、各陳列棚に設けられる電熱ヒータ等からなる加温装置とを備えている（特許文献１参照）。
【０００３】
陳列棚は、陳列室の背面に固定した状態で取り付けられており、また、陳列棚が左右の２列に配置されている。
【０００４】
このような構成の温蔵ショーケースは、商品の陳列棚への載置やその商品の取り出し作業を、開口する陳列室の前面側から行う。
【先行技術文献】
【特許文献】
【０００５】
【特許文献１】特開２００５−１３５１６号公報
【考案の概要】
【考案が解決しようとする課題】
【０００６】
この従来例の温蔵ショーケースにおいては、陳列棚が陳列室の背面に固定した状態で取り付けられているので、陳列棚の掃除や手入れが厄介で使いにくいという欠点を有している。
【０００７】
また、陳列棚は固定した状態なので、その設置高さや設置角度を任意に変えることができない。つまり、陳列棚を色々な種類の商品に対応させて上下に移動したり、傾斜を付けたり調節できないので不便であるという欠点を有している。
【０００８】
さらに、温蔵ショーケースは、陳列室の前面側が開口する構造なので、商品の載置や商品の取り出し作業を陳列室の前面側から行う。要するに、温蔵ショーケースの来店客側から商品の載置や取り出し作業を行うこととなり、邪魔になって使い勝手が悪いという欠点を有している。
【０００９】
従って、従来例における温蔵ショーケースにおいては、陳列棚の掃除や手入れを容易に行えることと、陳列棚の設置高さや設置角度を色々な種類の商品に対応して調節できることと、商品の載置や商品の取り出し作業を邪魔にならずに行えることとに解決しなければならない課題を有している。
【課題を解決するための手段】
【００１０】
前記従来例の課題を解決するための本考案の要旨は、筺形で、正面部と両方の側面部とに透明なガラス板が配設され、背面部に透明でスライド自在な２枚のガラス板からなるスライド扉を備え、前記両方の側面部の内側に沿ってそれぞれ柱体が立設し、該柱体に複数の棚網が係止する温蔵ショーケースであって、前記柱体は、上部側が前記背面部側に傾斜して立設すると共に、後部側に所定の間隔を開けて複数の孔部が形成され、前記棚網は、両方の端部に前記柱体に当接する柱受け部が形成され、該柱受け部の上端は、上段の前記孔部に係止する係止片が形成され、当該柱受け部の下端は、下段の前記孔部に係止して前記棚網の設置角度を調節するための水平用係止片と傾斜用係止片とが形成されることである。
【００１１】
また、前記棚網は、前記係止片が係止する孔部が下方側に下がるに連れて正面側にいっそう突出する構成であること、；
前記孔部は、角孔形に形成されること、；
前記傾斜用係止片は、複数片が形成されること、；
を含むものである。
【考案の効果】
【００１２】
本考案に係る温蔵ショーケースによれば、棚網を背面側から簡単に取り出すことができるので、掃除や手入れが容易で使いやすい。
特に、棚網を背面側から取り出して商品の載置や商品の取り出し作業を行うことができるので、従来例のように来店客の邪魔にならずに、使い勝手が極めて良好である。
また、棚網は設置高さを任意に変えられるだけでなく、設置角度を２段階に調節することができるので、様々な種類の商品に対応させて棚網を上下に移動したり、傾斜を付けたりできるという種々の優れた効果を奏する。
【００１３】
棚網は、係止片が係止する孔部が下方側に下がるに連れて正面側にいっそう突出する構成であることによって、上方の孔部に係止する棚網よりも下方の孔部に係止する棚網の方がより前方に出っ張ることとなる。その結果、複数段の棚網が所謂ひな壇状に形成されるので、載置された商品の視認性が向上するという優れた効果を奏する。
【００１４】
孔部は、角孔形に形成されることによって、係止片と水平用係止片あるいは傾斜用係止片とを、孔部に対して引っ掛からずに簡単に係止できるだけでなく、係止状態が安定してガタ付きが生じないという種々の優れた効果を奏する。
【００１５】
傾斜用係止片は、複数片が形成されることによって、棚網の設置角度を多段階に調節できるという優れた効果を奏する。
【図面の簡単な説明】
【００１６】
【図１】本考案に係る温蔵ショーケース１１の斜視図である。
【図２】本考案に係る温蔵ショーケース１１の斜視図である。
【図３】温蔵ショーケース１１の棚網２２を分離して示す斜視図である。
【図４】柱体２１を拡大して示す説明図である。
【図５】棚網２２の柱受け部２５を拡大して示す説明図である。
【図６】係止片２７と水平用係止片２９とを孔部２３へ係止する手順を説明する要部の拡大説明図である。
【図７】係止片２７と水平用係止片２９とを孔部２３へ係止する手順を説明する要部の拡大説明図である。
【図８】係止片２７と水平用係止片２９あるいは傾斜用係止片３１とを孔部２３に係止した状態示す要部の拡大説明図である。
【考案を実施するための形態】
【００１７】
次に、本考案の実施の形態について図面を参照しながら説明する。まず、図１から図３において、符号１１は温蔵ショーケースを示し、この温蔵ショーケース１１は、筺形状に形成されて、正面部１２と両方の側面部１３とには透明なガラス板が配設されており、背面部１４には透明でスライド自在な２枚のガラス板からなるスライド扉１４ａを備えている。
【００１８】
上部には天板部１５を有し、天板部１５の背面部１４側には、図２に示すように電源スイッチ１６と温度調節スイッチ１７とが設けられている。
【００１９】
また、底部１８の内部には、図示しないヒーターが収納されており、その上部にはスノコ１９が配設されていて、スノコ１９には多数の小孔１９ａが形成されている。スノコ１９の中央部には、加温バット２０が設けられている。
【００２０】
両方の側面部１３の内側に沿った位置には、それぞれ柱体２１が立設しており、柱体２１には複数の棚網２２が係止している（図１及び図２参照）。
【００２１】
柱体２１は、図４に示すように、上部２１ａ側が背面部１４側に傾斜して立設している。換言すれば、柱体２１の下部２１ｂ側が正面部１２側にいっそう近づいている。また、柱体２１の後部には所定の間隔を開けて複数の孔部２３が形成されている。
【００２２】
棚網２２は、金属製の線材を格子状に組み合わせて溶接し棚状に形成している。棚網２２の両方の端部には、図５に示すように、補強部２４が設けられており、補強部２４の後部には柱受け部２５が延設している。柱受け部２５は、柱体２１の後部側、即ち孔部２３側に当接する部位である。
【００２３】
柱受け部２５の上端には、図５に示すように、係止凹部２６を介して係止片２７が形成されている。係止片２７は、後述する水平用係止片２９又は傾斜用係止片３１を係止する孔部２３よりも１段上の（上段の）孔部２３に係止する部位である。
【００２４】
柱受け部２５の下端には、図５に示すように、水平用係止凹部２８を介して水平用係止片２９が形成されている。水平用係止片２９には、傾斜用係止凹部３０を介して傾斜用係止片３１が連設されている。
【００２５】
水平用係止片２９は、係止片２７を係止した孔部２３ｂよりも１段下の（下段の）孔部２３ａに係止する部位であり、棚網２２の設置角度を水平に保つことができる構成になっている（図８参照）。
【００２６】
傾斜用係止片３１は、係止片２７を係止した孔部２３ｂよりも１段下の（下段の）孔部２３ａに係止する部位であり、棚網２２の設置角度を傾斜させることができる構成になっている（図８参照）。
【００２７】
このように構成された棚網２２は、図６に示すように、まず傾斜用係止片３１を下段の孔部２３ａに挿入してから（矢印Ａ参照）、さらに挿入して、図７に示すように、水平用係止片２９を孔部２３ａに係止する。この時、水平用係止凹部２８が下端部３２に対して嵌合した状態になる。
【００２８】
次いで、図７に示すように、係止片２７を上段の孔部２３ｂに挿入してから、係止片２７を孔部２３ｂに係止する（矢印Ｂ参照）。この時、係止凹部２６が下端部３３に対して嵌合した状態となる。
【００２９】
このようにして係止片２７と水平用係止片２９とを孔部２３に係止した場合は、棚網２２の設置角度が水平状態に維持される（図８の上掲の棚網２２参照）。
また、係止片２７と傾斜用係止片３１とを孔部２３に係止した場合は、棚網２２の設置角度が傾斜した状態に維持される（図８の下掲の棚網２２参照）。
【００３０】
以上のように構成される温蔵ショーケース１１は、棚網２２を背面部１４側から取り出すことができるので、掃除や手入れが容易で使いやすい。同様に棚網２２を背面部１４側から取り出して商品の載置や商品の取り出し作業を行えるので、使い勝手が良好である。なお、これらの作業は、背面部１４側のスライド扉１４を取り外して行う。
【００３１】
さらに、陳列棚２２は、係止片２７と水平用係止片２９あるいは傾斜用係止片３１とを係止する孔部２３の上下の位置を選択することによって、その設置高さを任意に変えられる。
【００３２】
そして，水平用係止片２９と傾斜用係止片３１とのどちらかを選択して係止することによって、陳列棚２２の設置角度を２段階に調節することができる。
【００３３】
要するに、棚網２２は設置高さを任意に変えられるだけでなく、設置角度を２段階に調節できるので、様々な種類の商品に対応させて棚網２２を上下方向に移動したり、傾斜を付けたりできる。
【００３４】
また、図示はしていないが、傾斜用係止片３１を複数片形成してもよく、この場合は、棚網２２の設置角度を多段階に調節できる。
【００３５】
柱体２１は上部２１ａ側が背面部１４側に傾斜して立設している。換言すれば、柱体２１の下部２１ｂ側が正面部１２側にいっそう近づくので、上方の孔部２３に係止する棚網２２よりも、下方の孔部２３に係止する棚網２２の方がいっそう前方に出っ張ることとなる（図１及び図２参照）。その結果、複数段の棚網２２が所謂ひな壇状に形成されるので、載置された商品の視認性が向上する。
【００３６】
孔部２３は、角孔形に形成されることが望ましい。何故ならば、係止片２７と水平用係止片２９あるいは傾斜用係止片３１とを、孔部２３に対して引っ掛からずに簡単に係止できるだけでなく、係止状態が安定してガタ付きが生じないからである。
【符号の説明】
【００３７】
１１  温蔵ショーケース
１２  正面部
１３  側面部
１４  背面部
１４ａスライド扉
１５  天板部
１６  電源スイッチ
１７  温度調節スイッチ
１８  底部
１９  スノコ
１９ａ小孔
２０  加温バット
２１  柱体
２１ａ上部
２１ｂ下部
２２  棚網
２３  孔部
２３ａ  １段下の（下段の）孔部
２３ｂ  １段上の（上段の）孔部
２４  補強部
２５  柱受け部
２６  係止凹部
２７  係止片
２８  水平用係止凹部
２９  水平用係止片
３０  傾斜用係止凹部
３１  傾斜用係止片
３２、３３  下端部
【図１】
0003204326.tif 000003
【図２】
0003204326.tif 000004
【図３】
0003204326.tif 000005
【図４】
0003204326.tif 000006
【図５】
0003204326.tif 000007
【図６】
0003204326.tif 000008
【図７】
0003204326.tif 000009
【図８】
0003204326.tif 000010